(57)【要約】【課題】プリペイドカード機能を有する携帯電話機において、金額の充当を簡単な操作で行う。【解決手段】カード記憶部に記憶されている残高情報を取得し、表示部に残高と充当処理操作キーを表示する。操作部より充当処理入力があった場合に、無線通信部を介して外部サーバと接続し充当処理を行い、充当処理の結果をもとにカード記憶部の内容を更新する。以上の制御を制御部が行う。このような制御を行うことにより、ユーザがプリペイドカードの残高を確認する際、次に操作が予想される機能を同一画面に表示することにより、操作手順を簡略できる。【選択図】　図１
2004062265.tif 000002
【特許請求の範囲】
【請求項１】
自動改札機と非接触に通信可能な非接触カード手段を本体に組込みあるいは接続可能な携帯端末であって、
前記非接触カード手段は、処理する金額データを記憶するカード記憶部を有し、
前記携帯端末は、通信ネットワークと接続可能な無線通信部と、表示部と、操作部と、制御部とを有し、
前記制御部は、前記カード記憶部に記憶された金額データを前記表示部に表示する際に金額の充当処理操作の選択肢を前記表示部に表示し、前記操作部より充当処理の指示入力があった場合は前記無線通信部を用いて通信ネットワークに接続し外部サーバとの充当処理を行い、充当処理の結果をもとに前記カード記憶部の内容を更新するよう制御することを特徴とする携帯端末。
【請求項２】
請求項１に記載の携帯端末において、
前記制御部は、前記カード記憶部に記憶された金額データに含まれる残高情報が任意のしきい値より少ない場合に前記表示部を用いて報知するよう制御することを特徴とする携帯端末。
【請求項３】
請求項１に記載の携帯端末において、
前記制御部は、前記カード記憶部に記憶された金額データに含まれる残高情報が任意のしきい値より少ない場合は非接触カード手段に記憶された金額データを前記表示部に表示するとともに金額の充当処理操作の選択肢を前記表示部に表示し、前記操作部より充当処理の指示入力があった場合は通信ネットワークに接続して外部サーバと接続して充当処理を行い、充当処理の結果をもとにカード記憶部の内容を更新するよう制御することを特徴とする携帯端末。
【請求項４】
請求項２又は３に記載の携帯端末において、
前記制御手段は、充当処理時にカード記憶部に記憶された金額データより充当前残高情報を取得して前記しきい値として設定するよう制御することを特徴とする携帯端末。
【請求項５】
自動改札機と非接触に通信可能な非接触カード手段を本体に組込みあるいは接続可能な携帯端末であって、
前記非接触カード手段は、処理する金額データを記憶するカード記憶部を有し、
前記携帯端末は、通信ネットワークと接続可能な無線通信部と、表示部と、操作部と、制御部とを有し、
前記制御部が、前記操作部より充当処理の指示入力があった場合は前記無線通信部を用いて通信ネットワークに接続し外部サーバとの充当処理を行い、充当処理の結果をもとに前記カード記憶部の内容を更新し、充当処理時のカード記憶部に記憶された金額データに含まれる充当金額を次回充当処理時の充当金額の選択肢として設定し、充当処理時に設定された充当金額を前記表示部に表示するよう制御することを特徴とする携帯端末。
【請求項６】
自動改札機と非接触に通信可能な非接触カード手段を本体に組込みあるいは接続可能な携帯端末であって、
前記非接触カード手段は、処理する金額データを記憶するカード記憶部を有し、
前記携帯端末は、通信ネットワークと接続可能な無線通信部と、表示部と、制御部とを有し、
前記制御部は、前記カード記憶部に記憶された金額データに含まれる残高情報に応じて前記表示部の色あるいは表示要素を変更するよう制御することを特徴とする携帯端末。
【請求項７】
自動改札機と非接触に通信可能な非接触カード手段を本体に組込みあるいは接続可能な携帯端末であって、
前記非接触カード手段は、処理する金額データを記憶するカード記憶部を有し、
前記携帯端末は、通信ネットワークと接続可能な無線通信部と、表示部と、制御部とを有し、
前記制御部は、前記非接触カード手段が前記自動改札機との通信処理を完了したことを検出し、検出後の任意の一定時間に上記カード記憶部に記憶された金額データを前記表示部に表示するよう制御することを特徴とする携帯端末。
【請求項８】
自動改札機と非接触に通信可能な非接触カード手段を本体に組込みあるいは接続可能な携帯端末であって、
前記非接触カード手段は、処理する金額データを記憶するカード記憶部を有し、
前記携帯端末は、折りたたみ型であり、通信ネットワークと接続可能な無線通信部と、表示部と、制御部とを有し、
前記表示部は少なくとも折りたたみ時に外部より目視可能な第一表示部と、目視不可な第二表示部を有し、
前記制御部は、前記カード記憶部に記憶された金額データを折りたたみ時に前記第一表示部に表示するよう制御することを特徴とする携帯端末。
【請求項９】
自動改札機と非接触に通信可能な非接触カード手段を本体に組込みあるいは接続可能な携帯端末であって、
前記非接触カード手段は、処理する金額データを記憶するカード記憶部を有し、
前記携帯端末は、通信ネットワークと接続可能な無線通信部と、表示部と、制御部とを有し、
前記制御部は、前記非接触カード手段が接続されたことを検出し、検出後に前記非接触カード手段が保持する金額データを取得して、前記表示部に表示するよう制御することを特徴とする携帯端末。
【発明の詳細な説明】
【０００１】
【発明の属する技術分野】
本発明は、駅等に設置される自動改札機と通信可能な非接触カードの機能を組み込んだ携帯端末に関する。例えば、携帯電話、ＰＤＡ、ＰＨＳ、無線ＬＡＮ端末（社団法人電波産業会で策定する第二世代小電力データ通信システム／ワイヤレスＬＡＮシステム（ＡＲＩＢ　ＳＴＤ−Ｔ６６））等に関する。
【０００２】
【従来の技術】
携帯電話と非接触カードを組み合わせて、自動改札の通過処理を行うものとして、特開２００２−８３３２２が開示されている。これによれば、非接触カードと携帯電話機と一体構成あるいは互いに接続することにより、非接触カードのプリペイドカード機能に金額を充当する場合、携帯電話の通信回線経由で処理できる。
【０００３】
【発明が解決しようとする課題】
従来の技術では、プリペイドカードの充当を携帯電話の通信回線経由で処理できるので、どこに居ても充当処理ができるという利点がある。しかしながら、実際の使用状況における処理手順等の使い勝手は示されていない。
【０００４】
本発明の目的は、非接触カードの機能を組み込んだ携帯端末において、使い勝手の良いプリペイドカード機能への充当処理を実現することである。
【０００５】
【課題を解決するための手段】
すなわち、自動改札機と非接触に通信可能な非接触カード手段を本体に組込みあるいは接続可能な携帯端末であって、非接触カード手段が処理する金額データを記憶するカード記憶部と、通信ネットワークと接続可能な無線通信部と、表示部と、操作部と、制御部とを有する。制御部は、カード記憶部に記憶された金額データを表示部に表示する際、金額の充当処理操作の選択肢を表示部に表示し、操作部より充当処理の指示入力があった場合に無線通信部を用いて通信ネットワークに接続し外部サーバとの充当処理を行い、充当処理の結果をもとにカード記憶部の内容を更新するよう制御する。
【０００６】
上記のシステム構成により、ユーザが非接触カードのプリペイド残高を確認する際、次に操作が予想される機能を同一画面に表示することにより、操作手順を簡略できる。
【０００７】
【発明の実施の形態】
本発明で考える携帯端末は、携帯電話、ＰＤＡ、ＰＨＳ、無線ＬＡＮ端末（社団法人電波産業会で策定する第二世代小電力データ通信システム／ワイヤレスＬＡＮシステム（ＡＲＩＢ　ＳＴＤ−Ｔ６６））等に対して同様の効果を有するが、ここでは携帯電話に適用した場合を例に説明する。
【０００８】
図１は、本発明の第１の実施例における携帯端末の構成例を示す機能ブロック図である。同図には、携帯端末の関連システムも合わせて示してある。
まず、携帯端末の構成について説明する。携帯端末１は、無線通信機能部２と非接触カード手段３から構成されている。非接触カード手段３は、自動改札機４との通信を行うアンテナ３１とカード通信部３２、通信処理の結果を記憶するカード記憶部３３、無線通信機能部２との接続を行うインターフェース部３４、およびこれらの制御を行うカード制御部３５を具備している。無線通信機能部２は、無線基地局５を介して通信ネットワーク６に接続するアンテナ２１と無線通信部２２、表示部２４、操作部２５、携帯端末１の各部を制御する制御部２６、および制御部２６の処理手順を記憶する記憶部２３が具備されている。
【０００９】
次に、携帯端末１の利用者が自動改札機４を通過する場合の処理例を説明する。利用者が携帯端末１を自動改札機４に近接させると、自動改札機４の改札制御部４４は、カードリーダ／ライタ４２を介してカード記憶部３３に記憶している情報を取得する。カード記憶部３３に記憶している情報は、例えば図２に示すように、乗降の記録データや、支払い・プリペイドの残金といった金額データなどが含まれる。改札制御部４４は、取得したデータに応じて改札ゲートの開閉判断を決定し、ゲート駆動部を制御する。
【００１０】
次に、本実施例の特徴であるプリペイド残高の確認およびプリペイド金額の充当処理を説明する。制御部２６の処理フロー例を図３に示す。操作部２５からの任意操作により発生したプリペイド残高表示の要求を検出した制御部２６は、カード記憶部３３に記憶された金額データよりプリペイド残高を取得し（Ｔ１０１）、表示部２４に表示するよう制御する。この際に、制御部２６は、プリペイド残高と合わせて金額の充当処理操作の選択肢を表示部に表示するようにする（Ｔ１０２）。充当処理操作の選択肢表示中に操作部２５より充当処理の指示入力があった場合、制御部２６は無線通信部２を用いて通信ネットワークに接続し外部サーバ７との充当処理を行い、充当処理の結果をもとにカード記憶部３３の内容を更新するよう制御する（Ｔ１０４）。これらの処理中における表示部２４の表示例を図４に示す。まず、プリペイド残高を表示させる場合の例として、操作部２５からのメニュー選択等により利用者が指示を行う（ａ）。メニュー選択はスクロールキー（Ａ１０２）により選択項目（Ａ１０３）を選ぶようにすると、操作が簡便である。残高表示を選択し、ＯＫを選択するとプリペイド残高表示画面に遷移する（ｂ）。このとき、プリペイド残高だけでなく、充当処理が選択できるような表示も合わせて行う（Ａ１０６）。充当を選択した場合、充当金額の入力画面に遷移する（ｃ）。充当金額の入力画面では、プリセットされた金額をスクロールキーで選択すると、金額入力の手間が省けて便利である。また、任意の金額を入力できるようにすれば、ユーザ細かい要望に対応することができる（Ａ１０９）。また、外部サーバへ接続中である旨をアイコン等で表示するようにすれば、操作中のユーザに処理の状況を確実に伝えることができ、ユーザの安心感をえることができる（Ａ１０８）。さらに、充当金額と合わせてプリペイド残高や充当後の合計金額などを表示するようにすれば、充当金額をユーザが決定する際に有益な情報を提供することができる（Ａ１１２）。
【００１１】
図５は、携帯端末１が外部サーバ７と充当処理を行う場合の処理フローの例である。同図において携帯端末の処理は制御部２６が制御を行う。外部サーバ７は、金融機関や鉄道会社等が管理運営しており、カード記憶部の内容更新に関して通信ネットワーク６経由で処理可能なサービスを行っているものとする。まず、充当処理を行う携帯端末１は、通信ネットワーク６に接続するために無線通信部２２を用いて無線基地局５との通信リンクを確立する（Ｔ１０５）。通信リンク確立後、携帯端末１は接続・認証処理要求を外部サーバ７に送信する（Ｔ１０６）。この際、本人確認等の認証処理を合わせて行うようにすれば、処理の安全性を保つことができる（Ｔ１０７）。認証に用いる情報は、携帯端末１が携帯電話の場合は電話番号、無線ＬＡＮ端末の場合はハードウエア識別番号等に加えて暗証番号等を併用すれば、より安全性が向上する。この後、携帯端末１は、図４（ｃ）あるいは（ｄ）に示したような充当情報入力処理を行う（Ｔ１１０−１１１）。充当金額の確定が操作部２５より入力された場合（図４のＡ１１１選択）、携帯端末１は、その情報を外部サーバ７に送信し、外部サーバ７より受付応答を受信した後にカード記憶部３３の内容を更新し、さらに更新内容を表示部２４に表示する（Ｔ１１２−１１５）。
【００１２】
以上示した第一の実施例によれば、ユーザが非接触カード手段のプリペイド残高を確認する際、次に操作が予想される機能を同一画面に表示することにより、操作手順を簡略化して使い勝手を向上することができる。
【００１３】
図６は、本発明の第２の実施例における携帯端末の処理フローである。本実施例では、携帯端末１の記憶部２３に任意のしきい値を記憶しておき、制御部２６がこのしきい値を用いてプリペイド残高表示の処理を制御する例である。操作部２５からの任意操作により発生したプリペイド残高表示の要求を検出した制御部２６は、カード記憶部３３に記憶された金額データよりプリペイド残高を取得する（Ｔ１０１）。制御部２６は、取得したプリペイド残高と記憶部２３に記憶されているしきい値とを比較して（Ｔ１１６）、プリペイド残高がしきい値以下の場合に、第１の実施例と同様の処理を行う（Ｔ１０２−１０４）。逆にプリペイド残高がしきい値より大きい場合、制御部２６は、充当処理操作の選択肢を表示部２４に表示することなくプリペイド残高を表示するように制御する（Ｔ１１７）。
【００１４】
これらの処理中における表示部２４の表示例を図７に示す。この例では、待ち受け状態（ａ）にある携帯端末１が自動改札機４を通過する場合を示す。制御部２６は、カード通信部３２が自動改札機４との通信処理を完了したことを検出すると、カード記憶部３３からプリペイド残高を取得し、プリペイド残高がしきい値以下の場合に、プリペイド残高と合わせて金額の充当処理操作の選択肢を表示部に表示するようにする（ｂ、ｄ）。このとき、ユーザは自発的にプリペイド残高を参照確認する意識が低いと思われるので、制御部２６は、残高がしきい値以下である旨を強調して報知するよう表示部２４を制御すると、ユーザがプリペイド残高の減少に容易に気付くことができる（Ａ１１３、Ａ１１５）。また、制御部２６が、表示に加えて音声による報知（図示せず）を行うよう制御すると、ユーザがプリペイド残高の減少を認識する率が向上する。さらに、しきい値を複数記憶しておいて、プリペイド残高と各々のしきい値と比較結果により、表示部２４の色や表示要素を変更するように制御部２６が制御すれば、より細かい情報をユーザに提供することができる。一方、プリペイド残高がしきい値より大きい場合、制御部２６は、ユーザの充当処理要操作の選択肢を表示部２４に表示することなくプリペイド残高を表示するように制御する（ｅ）。この場合、プリペイド残高がしきい値より大きいことから、ユーザの充当処理要求がないものとして不要な表示を省略し、ユーザの無用な混乱や誤解を未然に防ぐことができる。
【００１５】
図８は、本発明の第３の実施例における携帯端末の処理フローである。本実施例では、制御部２６が、充当処理の情報を用いて記憶部２３に記憶するしきい値を設定する例である。制御部２６は、充当処理の後にカード記憶部３３に記憶された金額データを用いて充当前残高を取得し、これをしきい値として設定したうえで記憶部２３に記憶するよう制御する（Ｔ１１８−１１９）。この制御により、ユーザの過去の充当操作から充当可否の判断基準となるしきい値を求めることができるので、ユーザがしきい値設定のために操作をしなくても良い。
【００１６】
図９は、本発明の第４の実施例における携帯端末の処理フローである。本実施例では、制御部２６が、充当処理の情報を用いて充当金額の初期値として設定する例である。制御部２６は、充当処理の後にカード記憶部３３に記憶された金額データを用いて充当金額を取得し、これを次回充当時における充当金額の初期値として設定したうえで記憶部２３に記憶するよう制御する（Ｔ１２０−１２１）。この制御における表示部２４の表示例を図１０に示す。充当処理の画面（ｃ）で前回充当時の金額が初期値として表示・選択されるように制御部２６が制御することにより、ユーザが充当金額を入力する手順や、スクロールキーによる項目選択をする手順を省くことができる。
【００１７】
この制御により、ユーザの過去の充当操作から充当可否の判断基準となるしきい値を求めることができるので、ユーザがしきい値設定のために操作をしなくても良い。
【００１８】
図１１は、本発明の第５の実施例における携帯端末の処理フローである。本実施例では、携帯端末１が自動改札機４を通過する場合に行う制御部２６の表示部２４に対する制御を示す例である。制御部２６は、カード通信部３２が自動改札機４との通信処理を完了したことを検出すると、カード記憶部３３から支払い料金情報を取得し、タイマーを始動する（Ｔ１２２−１２４）。タイマーは制御部２６に具備されているものとする。このタイマーが満了する間、制御部２６は支払い料金を表示部２４に表示するよう制御する（Ｔ１２５−１２７）。この制御における表示部２４の表示例を図１２に示す。携帯端末１が自動改札機４に入る前は、待ち受け画面（ａ）を表示するが、改札を通過しカード通信部３２が自動改札機４との通信処理を完了すると料金情報の表示（ｂ）を行うよう制御部２６が制御する。このとき、制御部２６が充当処理の選択ボタンを表示部２４表示するよう制御すると、料金支払いに伴なってプリペイド残金が減少したとき、ユーザが素早く充当の処理を行うことができる。また、一定時間経過後に、制御部２６が表示を元の待ち受け画面に自動的に戻すように表示部２４を制御するので、ユーザが残高表示を消す手順を省略することができる。
【００１９】
図１３は、本発明の第６の実施例における携帯端末とその表示部である。本実施例は、折りたたみ型の携帯端末における表示例である。携帯端末の表示部は、折りたたみ時に外部より目視可能な第一表示部（２４Ｂ）と、目視不可な第二表示部（２４Ａ）を具備している。制御部２６は、携帯端末１が折りたたみ時において、カード記憶部３３に記憶された金額データを第一表示部（２４Ａ）に表示するよう制御する。この制御により、ユーザが料金確認をする場合、ユーザが携帯端末１を折りたたみ状態から開いた状態にする操作を省略することができる。特に第５の実施例と組み合わせた場合、改札を通過する際に携帯端末を開く必要がなく、改札通過時の動作をスムーズに行うことができる。
【００２０】
図１４は、本発明の第７の実施例における携帯端末の処理フローである。本実施例では、非接触カード手段３が携帯端末１の本体から取り外し可能な場合の例である。制御部２６が、非接触カード手段３が接続されたことを検出すると、カード記憶部３３が記憶する金額データを取得して、表示部２４に表示するよう制御する。ここで、非接触カード手段３との接続検出は、インターフェース部３４が制御部２６に対して任意の処理をすることにより行う。この制御における表示部２４の表示例を図１５に示す。制御部２６は、携帯端末１が待ち受け中（ａ）に非接触カード手段３の接続を検出すると、カード検出処理中である旨を表示部２４に表示するとともに、カード記憶部３３より金額データを取得するよう制御する（ｂ、Ａ１１９）。制御部２６は、金額データを取得を完了後に金額データを表示部２４に表示するよう制御する（ｃ、Ａ１２０）。このとき、制御部２６がカード接続を意味する表示要素（Ａ１２１）を表示部２４に表示することにより、非接触カード手段３が携帯端末１に接続されていることをユーザに確実に伝えることができる。
【００２１】
【発明の効果】
本発明により、ユーザがプリペイドカードの残高を確認する際、次に操作が予想される機能を同一画面に表示することにより、操作手順を簡略できる。また、残高に応じて表示や報知方法を変えることにより、ユーザに対して非接触カードの状況を的確に伝えることができる。さらに、前回の充当処理の条件を次回の処理時に利用し、ユーザの入力等の手順を省略することができ、携帯端末の利便性が向上する。
【図面の簡単な説明】
【図１】第１の実施例における携帯端末およびこれを用いたシステム構成である。
【図２】第１の実施例における携帯端末のカード記憶部の記憶領域である。
【図３】第１の実施例における携帯端末の処理フローである。
【図４】第１の実施例における携帯端末の表示である。
【図５】第１の実施例における携帯端末の処理フローである。
【図６】第２の実施例における携帯端末の処理フローである。
【図７】第２の実施例における携帯端末の表示である。
【図８】第３の実施例における携帯端末の処理フローである。
【図９】第４の実施例における携帯端末の処理フローである。
【図１０】第４の実施例における携帯端末の表示である。
【図１１】第５の実施例における携帯端末の処理フローである。
【図１２】第５の実施例における携帯端末の表示である。
【図１３】第６の実施例における携帯端末の表示である。
【図１４】第７の実施例における携帯端末の処理フローである。
【図１５】第７の実施例における携帯端末の表示である。
【符号の説明】
１…携帯端末、２…無線通信機能部、３…非接触カード手段、４…自動改札機、５…無線基地局、６…通信ネットワーク、７…サーバ、
２１、３１、４１…アンテナ、２２…無線通信部、２３…記憶部、２４…表示部、
２５…操作部、２６…制御部、３２…カード通信部、３３…カード記憶部、
３４…インターフェース部、３５…カード制御部、４２…カードリーダ／ライタ、
４３…ゲート駆動部、４４…改札制御部、
Ａ１０１〜Ａ１２１…携帯端末の表示要素、
Ｔ１０１〜Ｔ１３０…携帯端末、無線基地局、サーバの処理手順
【図１】
2004062265.tif 000003
【図２】
2004062265.tif 000004
【図３】
2004062265.tif 000005
【図４】
2004062265.tif 000006
【図５】
2004062265.tif 000007
【図６】
2004062265.tif 000008
【図７】
2004062265.tif 000009
【図８】
2004062265.tif 000010
【図９】
2004062265.tif 000011
【図１０】
2004062265.tif 000012
【図１１】
2004062265.tif 000013
【図１２】
2004062265.tif 000014
【図１３】
2004062265.tif 000015
【図１４】
2004062265.tif 000016
【図１５】
2004062265.tif 000017